(57)【要約】【課題】  本発明は、ラジオ受信機及びラジオ受信機の制御方法に関し、例えばＤＡＢによる地上ディジタル音声放送方式の受信機に適用して、受信可能な番組が多数存在する場合でも、所望する番組を簡易かつ確実に見つけ出すことができるようにする。【解決手段】  本発明は、検索の条件を切り換えて受信可能な番組のリストより番組を検索し、この検索結果に従って番組を順次受信する。【選択図】        図１
2007088656.tif 000002
【特許請求の範囲】
【請求項１】
アンテナで受信される複数の放送波から１つの放送波を選択し、該選択した１つの放送波により多重化されて放送される複数の番組から１つの番組のオーディオデータを受信して出力する受信系と、
前記受信系で受信する番組の切り換えを指示するチューニングの操作子と、
前記チューニングの操作子による番組の選択を切り換えるモード切り換えの操作子と、
前記受信系で受信可能な前記番組について、前記番組の選択に必要な情報による番組リストを記録するメモリと、
前記受信系を制御する制御部とを有し、
前記制御部は、
前記モード切り換えの操作子の操作に応動して、検索の条件を切り換えて前記番組リストを検索し、該検索結果に従って前記チューニングの操作子による操作に応動して、前記受信系で受信する前記番組を切り換える
ことを特徴とするラジオ受信機。
【請求項２】
前記制御部による検索が、
前記番組リストに記録された受信可能な番組から、ユーザーに提供する番組を絞り込む検索である
ことを特徴とする請求項１に記載のラジオ受信機。
【請求項３】
アンテナで受信される複数の放送波から１つの放送波を選択し、該選択した１つの放送波により多重化されて放送される複数の番組から１つの番組のオーディオデータを受信して出力する受信系と、
前記受信系で受信する番組の切り換えを指示するチューニングの操作子と、
前記チューニングの操作子による番組の選択を切り換えるモード切り換えの操作子と、
前記受信系で受信可能な前記番組について、前記番組の選択に必要な情報による番組リストを記録するメモリと、
前記受信系を制御する制御部とを有するラジオ受信機の制御方法であって、
前記モード切り換えの操作子の操作に応動して、検索の条件を切り換えて前記番組リストを検索する検索のステップと、
前記検索のステップによる検索結果に従って前記チューニングの操作子による操作に応動して、前記受信系で受信する前記番組を切り換える切り換え制御のステップとを有する
ことを特徴とするラジオ受信機の制御方法。
【発明の詳細な説明】
【技術分野】
【０００１】
本発明は、ラジオ受信機及びラジオ受信機の制御方法に関し、例えばＤＡＢ（Digital
Audio Broadcasting）による地上ディジタル音声放送方式の受信機に適用することができる。本発明は、検索の条件を切り換えて受信可能な番組のリストより番組を検索し、この検索結果に従って番組を順次受信することにより、受信可能な番組が多数存在する場合でも、所望する番組を簡易かつ確実に見つけ出すことができるようにする。
【背景技術】
【０００２】
従来、地上ディジタル音声放送方式は、Ｅｕｒｅｋａ１４７規格に従ったＤＡＢが実用に供されている。ここでこのＤＡＢは、１．５〔ＭＨｚ〕の伝送帯域を用いた直交周波数分割多重変調によりデータ圧縮したオーディオデータを放送しており、この１．５〔ＭＨｚ〕の伝送帯域による１つの放送波がアンサンブルと称され、例えばバンド３として規定された周波数１７４．９２８〜２３９．２００〔ＭＨｚ〕のバンドでは、４１のアンサンブルを設けることができ、さらには１．４５〜１．４８〔ＧＨｚ〕のＬバンド等が用意されている。
【０００３】
ここで各アンサンブルは、図５に示すように、サービスと呼ばれるグループに分割され、さらに各サービスは、１つ以上のサービスコンポーネントに分割される。ここでサービスは、ＦＭ放送等における１つの放送局に相当し、１つのサービスに含まれる複数のサービスコンポーネントは、例えば第１、第２のサービスコンポーネントが、それぞれ第１及び第２会場のサッカー中継等に割り当てられる。これによりＤＡＢでは、サービスコンポーネントが、各番組に相当し、サービスが複数番組の１つの放送局によるグループに相当する。ＤＡＢでは、これらサービスコンポーネントとして、プライマリコンポーネントとセカンダリコンポーネントとを放送することができる。
【０００４】
これによりＤＡＢを受信する場合、所望するアンサンブルを選択した後、このアンサンブルに含まれる複数のサービスから１つのサービスを選択し、さらにこの選択したサービスに含まれるサービスコンポーネントから所望するサービスコンポーネントを選択する。
【０００５】
ＤＡＢでは、各アンサンブルに、アンサンブルＩＤと呼ばれる識別コードが設定され、さらに各サービスコンポーネントに、サービスにおける通し番号が設定される。またアンサンブル、サービスに、それぞれアンサンブルラベル、サービスラベルと称される名前が設けられ、サービスコンポーネントには、必要に応じて同様のラベルが設けられる。ＤＡＢでは、１つの放送波により伝送される高速情報チャンネル（ＦＩＣ：Fast Information Channel）により、この１つの放送波により放送される複数の番組から所望する番組を受信するのに必要な情報である受信情報、この１つの放送波により放送される複数の番組を特定する情報である補助情報等が提供される。
【０００６】
これによりＤＡＢを受信する従来のラジオ受信機は、受信可能なサービスをサービスラベルにより検出してリスト化した後、このリストをアルファベット順により並べ直してサービスリストを作成する。ラジオ受信機は、このサービスリストに従ってユーザーによる操作に応動して順次受信するサービス、サービスコンポーネントを切り換え、これによりアルファベット順により所望するサービスを受信するように構成されていた。
【０００７】
このような選局の処理に関して、例えば特開２０００−９１９３４号公報には、第１の操作子の操作により１つのアンサンブルにより提供される複数のサービスを一定の時間間隔により順次循環的にユーザーに提供するようにして、第２の操作子の操作によりサービスを確定させる方法が提案されている。
【０００８】
ところで例えばロンドン等の都市部では、ＤＡＢにより５０個以上ものサービスが提供されており、その分、受信可能な番組が多数存在することになる。このように受信可能な番組が多数の場合、アルファベット順により所望する番組を受信する従来のラジオ受信機によっては、所望する番組を簡易かつ確実に見つけ出すことが困難な問題があった。
【特許文献１】特開２０００−９１９３４号公報
【発明の開示】
【発明が解決しようとする課題】
【０００９】
本発明は以上の点を考慮してなされたもので、受信可能な番組が多数存在する場合でも、所望する番組を簡易かつ確実に見つけ出すことができるラジオ受信機及びラジオ受信機の制御方法を提案しようとするものである。
【課題を解決するための手段】
【００１０】
かかる課題を解決するため請求項１の発明は、ラジオ受信機に適用して、アンテナで受信される複数の放送波から１つの放送波を選択し、該選択した１つの放送波により多重化されて放送される複数の番組から１つの番組のオーディオデータを受信して出力する受信系と、前記受信系で受信する番組の切り換えを指示するチューニングの操作子と、前記チューニングの操作子による番組の選択を切り換えるモード切り換えの操作子と、前記受信系で受信可能な前記番組について、前記番組の選択に必要な情報による番組リストを記録するメモリと、前記受信系を制御する制御部とを備え、前記制御部は、前記モード切り換えの操作子の操作に応動して、検索の条件を切り換えて前記番組リストを検索し、該検索結果に従って前記チューニングの操作子による操作に応動して、前記受信系で受信する前記番組を切り換える。
【００１１】
また請求項３の発明は、ラジオ受信機の制御方法に適用して、アンテナで受信される複数の放送波から１つの放送波を選択し、該選択した１つの放送波により多重化されて放送される複数の番組から１つの番組のオーディオデータを受信して出力する受信系と、前記受信系で受信する番組の切り換えを指示するチューニングの操作子と、前記チューニングの操作子による番組の選択を切り換えるモード切り換えの操作子と、前記受信系で受信可能な前記番組について、前記番組の選択に必要な情報による番組リストを記録するメモリと、前記受信系を制御する制御部とを有するラジオ受信機の制御方法であって、前記モード切り換えの操作子の操作に応動して、検索の条件を切り換えて前記番組リストを検索する検索のステップと、前記検索のステップによる検索結果に従って前記チューニングの操作子による操作に応動して、前記受信系で受信する前記番組を切り換える切り換え制御のステップとを有するようにする。
【００１２】
請求項１の構成により、ラジオ受信機に適用して、アンテナで受信される複数の放送波から１つの放送波を選択し、該選択した１つの放送波により多重化されて放送される複数の番組から１つの番組のオーディオデータを受信して出力する受信系と、前記受信系で受信する番組の切り換えを指示するチューニングの操作子と、前記チューニングの操作子による番組の選択を切り換えるモード切り換えの操作子と、前記受信系で受信可能な前記番組について、前記番組の選択に必要な情報による番組リストを記録するメモリと、前記受信系を制御する制御部とを備え、前記制御部は、前記モード切り換えの操作子の操作に応動して、検索の条件を切り換えて前記番組リストを検索し、該検索結果に従って前記チューニングの操作子による操作に応動して、前記受信系で受信する前記番組を切り換えるようにすれば、必要に応じてモード切り換えの操作子の操作により、所望する順番で受信する番組の順序を切り換えることができ、これにより受信可能な番組が多数存在する場合でも、所望する番組を簡易かつ確実に見つけ出すことができる。
【００１３】
これにより請求項３の構成によれば、受信可能な番組が多数存在する場合でも、所望する番組を簡易かつ確実に見つけ出すことができるラジオ放送の制御方法を提供することができる。
【発明の効果】
【００１４】
本発明によれば、受信可能な番組が多数存在する場合でも、所望する番組を簡易かつ確実に見つけ出すことができる。
【発明を実施するための最良の形態】
【００１５】
以下、適宜図面を参照しながら本発明の実施例を詳述する。
【実施例１】
【００１６】
（１）実施例の構成
図２（Ａ）〜（Ｄ）は、本発明の実施例に係るラジオ受信機を各方向から見て示す図である。このラジオ受信機１は、ＤＡＢによる放送、ＦＭ放送を受信する受信機であり、全体が略長方体形状により形成される。
【００１７】
このラジオ受信機１は、正面に、目隠しされてスピーカが配置され、さらに液晶表示パネルによる表示部２が設けられる。また上面に、ロッドアンテナ３が設けられ、スリープタイマをセットするスリープの操作子４、時計を設定するクロックの操作子６、表示部２のバックライトを点灯させるライトの操作子５、表示部２のコントラストを調整するコントラスト調整の操作子７が設けられる。さらに上面には、電源スイッチ８、バンド切り換えの操作子９が設けられる。ここでバンド切り換えの操作子９は、ＦＭ放送とＤＡＢによる放送とで受信する放送を切り換える操作子である。さらにラジオ受信機１は、この上面に、放送局、サービスを記憶させるお気に入りの操作子１２、自動選局、サーチ選局等を開始させる選局の操作子１０、表示部２の表示を切り換えるディスプレイの操作子１１、ＤＡＢ受信時、セカンダリコンポーネントに受信を切り換える切り換えの操作子１３が設けられる。
【００１８】
これに対して左側面には、電源コードの接続ジャック１４、イヤホンジャック１５が設けられ、右側面には、音量調整の回転操作子１７、サービス、周波数、設定項目を送るチューニングの回転操作子１８、選局モードを切り換えるモード切り換えの回転操作子１９が設けられる。
【００１９】
図３は、このラジオ受信機１の構成を示すブロック図である。このラジオ受信機１において、フロントエンド（ＦＥ）２１は、ＭＣＵ（Micro Controller Unit ）２２の制御により、ロッドアンテナ２で受信される複数の放送波から、ユーザーにより指示されたサービスに係るアンサンブルの放送波を選局して中間周波信号に変換し、この中間周波信号をアナログディジタル変換処理して出力する。
【００２０】
ディジタルシグナルプロセッサ（ＤＳＰ）２３は、フロントエンドから出力されるディジタル信号を直交復調、高速フーリエ変換処理、ビタビ復号処理し、ユーザーにより指示されたサービスに係るオーディオ信号を出力し、またアンサンブルに含まれる高速情報チャンネルによる各種の情報をＭＣＵ２２に通知する。このラジオ受信機１は、これらＤＡＢに係る受信系に加えて、ＦＭ放送の受信系を有し、増幅回路（ＡＭＰ）２４は、ＭＣＵ２２の制御によりディジタルシグナルプロセッサから出力されるオーディオ信号、ＦＭ放送の受信系から出力されるオーディオ信号を選択的に取得し、このオーディオ信号によりスピーカ（ＳＰ）２５、又はイヤンホンジャック１５に差し込まれたヘッドホン（ＨＰ）２５を駆動する。これによりこのラジオ受信機１は、ＤＡＢによる放送又はＦＭ放送を受信できるように構成される。
【００２１】
サービスリスト２６は、このラジオ受信機１により受信可能な番組を受信するのに必要な受信情報のリストにより構成され、さらに各番組を特定するサービスラベル、アンサンブルＩＤ、ラベル、プログラムタイプ等の情報が付加されて形成される。
【００２２】
ＭＣＵ２２は、図示しないメモリに記録されたプログラムの実行により各部の動作を制御することにより、上述の各種操作子４〜１３、１７〜１９の操作に応動して全体の動作を切り換える。なおこの実施例において、このＭＣＵ２２の処理に係るプログラムは、このラジオ受信機１に事前にインストールされて提供されるものの、このような事前のインストールに代えて、光ディスク、磁気ディスク、メモリカード等の記録媒体に記録して提供するようにしてもよく、インターネット等のネットワークを介したダウンロードにより提供するようにしてもよい。
【００２３】
図１は、このＭＣＵ２２の処理手順のうち、操作子１８及び１９の操作によるＤＡＢの受信に係る処理手順を示すフローチャートである。ＭＣＵ２２は、電源が投入されると、ステップＳＰ１からステップＳＰ２に移り、サービスリスト２６が登録されているか否か判断する。ここで否定結果が得られると、ＭＣＵ２２は、ステップＳＰ２からステップＳＰ３に移り、サービスリスト２６を作成する。具体的に、ＭＣＵ２２は、フロントエンド２１、ディジタルシグナルプロセッサ２３の動作を制御して順次受信周波数を切り換えてＤＡＢによりアンサンブルを順次受信し、これにより受信可能なサービスを順次受信してサービスリスト２６の作成に必要な情報を取得し、この取得した情報によりサービスリストを作成する。なおこの情報の取得にあっては、高速情報チャンネルより放送される各種データ、各サービス、各サービスコンポーネントの受信により実行されるものの、後述する絞り込みの条件によっては、例えば高速情報チャンネルより放送される各種データのみにより作成するようにしてもよい。
【００２４】
ＭＣＵ２２は、サービスリスト２６を作成すると、ステップＳＰ３からステップＳＰ４に移る。またステップＳＰ２で肯定結果が得られると、ステップＳＰ２から直接ステップＳＰ４に移る。このステップＳＰ４において、ＭＣＵ２２は、事前に設定された条件によりサービスリストを絞り込み検索し、これによりユーザーに提供する番組を絞り込みする。ここでこの検索の条件は、例えばアンサンブルの放送に係る放送波の周波数、アンサンブルラベル、サービスラベル、サービスコンポーネントラベル、プログラムタイプ、ラベル、オーディオビットレート、キーワード等、種々の条件を適用することができ、この実施例では、アンサンブルラベルが適用され、これにより事前に設定されたアンサンブルラベルに係る番組の各種情報が、サービスリスト２６から検索される。
【００２５】
ＭＣＵ２２は、この絞り込み検索により絞り込まれた複数の番組のうちの、先頭番組を受信するように、フロントエンド２１、ディジタルシグナルプロセッサ２３の動作を設定する。また図４に示すように、この受信を開始した番組に関する情報を表示部２に表示する。しかしてこの図４に示す例では、検索の条件を最上段の一行目に表示し、続く２行目に、受信しているサービスコンポーネントに係るサービスラベルを表示し、続く３行目に、この番組に係るアンサンブルの情報が放送波の周波数により表示される。なおＭＣＵ２２は、ディスプレイの操作子１２の操作に応動して、例えば最下段の表示を、コンポーネントラベル、ビットレート、時計等に切り換える。
【００２６】
ＭＣＵ２２は、続くステップＳＰ５において、モード切り換えの操作子１９が操作されたか否か判断し、ここで否定結果が得られると、ステップＳＰ６に移り、チューニングの操作子１８が操作されたか否か判断し、ここで否定結果が得られると、ステップＳＰ６からステップＳＰ５に戻る。
【００２７】
これに対してステップＳＰ６で肯定結果が得られると、ＭＣＵ２２は、ステップＳＰ７に移り、チューニングの操作子１８の操作に応動して、サービスリスト２６の検索結果による昇順、又は降順により、続く番組を受信するように、フロントエンド２１、ディジタルシグナルプロセッサ２３の動作を制御する。また続く番組の受信に対応するように表示部２の表示を切り換えた後、ステップＳＰ５に戻る。
【００２８】
これによりこの場合、ＭＣＵ２２は、受信可能な全ての番組から、事前の条件により絞り込み検索された検索結果に従って、ユーザーによるチューニングの操作子１８の操作に応動して受信する番組を切り換える。
【００２９】
これに対してステップＳＰ５で肯定結果が得られると、ＭＣＵ２２は、ステップＳＰ５からステップＳＰ８に移り、検索の条件を切り換えてサービスリスト２６を検索し直し、この検索結果の先頭番組を受信するように、フロントエンド２１、ディジタルシグナルプロセッサ２３の動作を設定する。これによりこの実施例では、アンサンブルラベルを切り換えてサービスリスト２６を検索し、この検索結果による先頭番組を受信する。またこの受信する番組の切り換えに対応するように、表示部２の表示を切り換え、ステップＳＰ６に移る。
【００３０】
（２）実施例の動作
以上の構成において、このラジオ受信機１では（図２、図３）、アンテナ３で受信される多数の放送波がフロントエンド２１により選択されて中間周波信号に変換され、この中間周波信号がディジタル信号に変換された後、ディジタルシグナルプロセッサ２３で処理され、これによりこの選択された１つの放送波により多重化されて伝送される複数の番組からユーザーの所望する番組が選択され、この番組のオーディオ信号がスピーカ２５により、又はヘッドホンによりユーザーに提供される。またこのディジタルシグナルプロセッサ２３における処理により、この１つの放送波に多重化された各番組の受信に必要な情報、各番組を特定する情報が再生される。
【００３１】
このラジオ受信機１では、このようにして番組を受信してユーザーに提供するようにして、受信可能なサービスコンポーネントがサーチされて、各サービスコンポーネントの受信に必要な情報がリスト化されて番組リストであるサービスリスト２６が形成される。さらにユーザーによるモード切り換えの操作子１９の操作に応動して、検索の条件を切り換えてこのサービスリストが検索され、この検索による検索結果に従ってチューニングの操作子１８による操作に応動して、受信系で次に受信する番組が切り換られる。
【００３２】
これによりユーザーにおいては、モード切り換えの操作子１９の操作により、所望する検索の条件を選択した後、チューニングの操作子１８の操作により所望する番組を受信することができ、その分、受信可能な番組が多数存在する場合でも、所望する番組を簡易かつ確実に見つけ出すことができる。
【００３３】
またこの検索が、アンサンブルラベルによる絞り込み検索であることにより、チューニングの操作子１８の操作により選択可能な番組の数を絞り込んでユーザーに提供することができ、ユーザーにおいては、その分、所望する番組を簡易かつ迅速に選択することができ、これにより一段と簡易かつ確実に所望する番組を見つけ出すことができる。
【００３４】
（３）実施例の効果
以上の構成によれば、検索の条件を切り換えて受信可能な番組のリストより番組を検索し、この検索結果に従って番組を順次受信することにより、受信可能な番組が多数存在する場合でも、所望する番組を簡易かつ確実に見つけ出すことができる。
【００３５】
またこの検索が、絞り込み検索であることにより、一段と簡易かつ確実に所望する番組を見つけ出すことができる。
【実施例２】
【００３６】
なお上述の実施例においては、ＤＡＢによるラジオ放送の受信に本発明を適用する場合について述べたが、本発明はこれに限らず、多数の番組からユーザーの所望する番組を受信する種々のラジオ受信機に広く適用することができる。
【産業上の利用可能性】
【００３７】
本発明は、ラジオ受信機及びラジオ受信機の制御方法に関し、例えばＤＡＢによる地上ディジタル音声放送方式の受信機に適用することができる。
【図面の簡単な説明】
【００３８】
【図１】本発明の実施例に係るラジオ受信機のＭＣＵの処理手順を示すフローチャートである。
【図２】本発明の実施例に係るラジオ受信機の各方向から見た図である。
【図３】本発明の実施例に係るラジオ受信機を示すブロック図である。
【図４】図２のラジオ受信機の表示部の表示を示す平面図である。
【図５】ＤＡＢの説明に供する図表である。
【符号の説明】
【００３９】
１……ラジオ受信機、２……表示部、４〜１３、１７〜１９……操作子、２１……フロントエンド、２２……ＭＣＵ、２３……ディジタルシグナルプロセッサ、２６……サービスリスト
【図１】
2007088656.tif 000003
【図２】
2007088656.tif 000004
【図３】
2007088656.tif 000005
【図４】
2007088656.tif 000006
【図５】
2007088656.tif 000007